(57)【要約】【課題】  ポーションカップに収納した商品を店頭に陳列した際に他の商品との間で大きな差別化を図りその商品の注目度が高められ、しかも外観に対する内容物の収納率を高くでき、かつ外部からの衝撃や押圧力に対して高い強度を有するポーションカップ、及びポーションカップを用いた分納容器を提供すること。【解決手段】  樹脂製の容器本体の上部開口面に蓋材を剥離可能に密着させたポーションカップにおいて、３つのポーションカップを屈曲自在に連結し、それらをポーションカップの蓋材を外表面にした三角柱形に形成可能とした。  これにより外観上の差別化を他のポーションカップ等に対して図ることができ、ポーションカップに収納した商品に対して、店頭に陳列した際高い注目度を付与できる。  ポーションカップに加えられる衝撃や押圧力に対して高い強度が得られ、破損しにくいポーションカップとなり、保管時における手間や、陳列、搬送時でのポーションカップやその分納容器の取り扱いが簡易となる。【選択図】図５
2006044687.tif 000002
【特許請求の範囲】
【請求項１】
樹脂製の容器本体の開口面に蓋材を剥離可能に設けたポーションカップにおいて、
連結された３つのポーションカップを各ポーションカップの連結部より屈曲させ、前記蓋材を外表面にした三角柱形に組付け可能としたポーションカップ。
【請求項２】
三角柱形の内面を有する外箱に、請求項１に記載の三角柱形に組付けられた３つのポーションカップを収納した分納容器。
【発明の詳細な説明】
【技術分野】
【０００１】
本発明は、三角柱形に組付け可能なポーションカップに関する。
【背景技術】
【０００２】
ポーションカップは、容器本体の上面に箔状の蓋材を剥離可能に密着させて、例えば一人分ずつの分量にゼリーやミルクなどを個別に密封し、蓋材を取り除いて容器本体から内容物を所定量ずつ取り出すことができる樹脂製の容器である。このような従来のポーションカップは、複数個まとめて一つの袋の中に収納させたり、複数のポーションカップをポーションカップの開口面の両端で互いに並列に連結して外箱に収納させたりしていた。
【０００３】
【特許文献１】特開２００３−３４１７１６号公報
【発明の開示】
【発明が解決しようとする課題】
【０００４】
しかしながら従来のポーションカップは衝撃や押圧力に対して弱く、何らかの原因で蓋材や容器本体に外力が加えられると、蓋材が破損したり、容器本体がつぶれたりして、内容物がポーションカップから外部に漏出してしまうことが考えられる。
【０００５】
また従来のポーションカップの形状はいくつかの基本形態に限られ、ポーションカップに収納した商品を店頭に陳列した際に他の商品との間で形状的な面からの差別化を図ることが難しく、ポーションカップの形状から商品の注目度を高めることができなかった。更にポーションカップを例えば直方体の外箱に収容した場合には、ポーションカップと外箱との形状の相違から外箱内部に多くの空隙が生じ、外箱の容量に対して実際にポーションカップに収納されている内容物の量が少なく感じられるという問題があった。
【０００６】
本発明は、ポーションカップに収納した商品を店頭に陳列した際に他の商品との間で大きな差別化を図りその商品の注目度が高められ、しかも外形に対する内容物の収納率が高くでき、かつ外部から加えられる衝撃や押圧力に対して高い強度を有するポーションカップ、及びポーションカップを用いた分納容器を提供することを目的とする。
【課題を解決するための手段】
【０００７】
本発明では上記課題を解決するため、ポーションカップを次のように構成した。
【０００８】
樹脂製の容器本体の上部開口面に蓋材を剥離可能に設けたポーションカップにおいて、連結された３つのポーションカップを各ポーションカップの連結部より屈曲させ、蓋材を外表面にした三角柱形に組付け可能とした。
【０００９】
例えば３つのポーションカップを互いに同一形状とし、３つのポーションカップで形成される三角柱の断面は正三角形とする。その場合各ポーションカップの容器本体の左右側面は、底面からの挟み角が約１２０度となる。
【００１０】
尚、連結された３つのポーションカップを連結部により屈曲させ三角柱形に形成可能であれば、各ポーションカップの容器本体の形状は均一でなくともよい。更に３つのポーションカップから形成される三角柱は、正三角柱でなく他の形状の三角柱形でもよい。
【００１１】
３つのポーションカップは、容器本体を形成する樹脂材に溝部を形成するなどして屈曲自在に連結させても、個別に形成された容器本体をその上面に密着させる蓋材によって屈曲自在に連結させてもよい。
【００１２】
三角柱形の内面を有する外箱に、三角柱形に形成したポーションカップを収納して分納容器を構成した。外箱は、三角柱形に形成したポーションカップとほぼ同一、もしくはそれより大きい内面形状であり、所定の強度を有し、外部から加えられる押圧力に対してその形状を十分に保持できる。
【発明の効果】
【００１３】
本発明にかかる３つの組付けられたポーションカップ、及びそれを用いた分納容器は、外観上から他のポーションカップ等と差別化を図ることができ、ポーションカップに収納した商品に対して、店頭に陳列した際高い注目度を付与できる。
【００１４】
外部から加えられる衝撃や押圧力に対して高い強度を有し、破損しにくくなり、保管時における手間や、陳列、搬送時でのポーションカップやその分納容器の取り扱いが簡易となる。
【００１５】
組み付けられたポーションカップの３つの側面が外観上いずれの面を表裏とすることなく均等に形成され、全ての側面を表示面として形成して商品のアピール度を向上させることができるとともに、収納容器の表裏を考慮することなく陳列が可能となる。
【００１６】
収納容器を正三角柱形に形成することにより、多数の収納容器を密に積み重ねることができる。
【発明を実施するための最良の形態】
【００１７】
本発明にかかるポーションカップ２、及びポーションカップ２を用いた分納容器について説明する。
【００１８】
ポーションカップ２は図１に示すように、容器本体４と、蓋材６からなる縦長の容器で、容器本体４内にカレールウやゼリーなどの内容物が充填されている。
【００１９】
容器本体４は、シート成形により成形され、図３、図４に示すように長手方向に対する左右の側壁５が底面８側からの挟み角が約１２０度の角度となるように傾斜させてある。容器本体４の上面は、周囲に縁９が設けられた開口面に形成してあり、樹脂材、あるいはアルミ箔などからなる蓋材６が、内容物を容器本体４内に収納した後、縁９に熱溶着や接着材等を用いて剥離可能に密着されている。
【００２０】
３つのポーションカップ２は、図２に示すように中央のポーションカップ２の両側にそれぞれポーションカップ２が、縁９の端部によって屈曲自在に連結してあり、図１に示すようにそれぞれのポーションカップ２を縁９で屈曲して正三角柱形に組付けられる。尚、ポーションカップ２は縁９で連結されてなく、個別に組み合わせてもよい。
【００２１】
図４に、正三角柱形に組付けた３つのポーションカップ２を、中心部を通る線上から眺めた状態を示す。このように３つのポーションカップ２は、容器本体４の側壁５を互いに軽く接した状態で組付けられ、それぞれの底８が対面して形成された三角形の空隙が３つのポーションカップ２の中心部に設けられる。
【００２２】
組付けられた３つのポーションカップ２は、図５に示すようにボール紙などからなる外箱１２にそのまま収納される。外箱１２は、組付けられた３つのポーションカップ２とほぼ同一形状、あるいはそれより大きく形成された三角形の内面を有する筒形の容器で、端面に正三角形の蓋体１４が開閉自在に設けられ、外表面に内容物を示す文字や図などが表示されている。
【００２３】
したがって上記ポーションカップ２によれば、３つのポーションカップ２を正三角柱形に組付けることができ、組付けたポーションカップ２を正三角形に形成された外箱１２に密に収納できる。これにより外箱１２に３つのポーションカップ２を収納した分納容器１の外観に特徴を持たせることができ、他の商品との差別化を形状の上から実現でき、分納容器１を店頭などに陳列した時の注目度を高めることができる。
【００２４】
分納容器１内に３つのポーションカップ２が収納されているので、所望の数のポーションカップ２を適宜開封して必要量の内容物をポーションカップ２から取り出したり、同時に使用される種類の異なる内容物を各ポーションカップ２に充填して一つの外箱１２に収納できる。
【００２５】
分納容器１は、特に三角形の頂点を押下げるような押圧力や長手方向に沿って上下から押圧するような力に対する強度が通常のポーションカップに比較して格段に高く、分納容器１の保管が容易となり、かつ運搬、陳列などにおける取り扱いが簡易となる。また外箱１２内にポーションカップ２が収納されているので、外力による蓋材４の破損を確実に防止できる。
【００２６】
また図６に示すように、分納容器１は正三角柱形の外観であるので、側面がいずれも等しい形状となり、分納容器１の外表面に均等に商品説明、広告などの表示が可能で、商品のアピール度を向上できる。また図７に示すように、分納容器１を交互に密に積み重ねることができ、ポーションカップ２を効率よく収納、保管できる。
【００２７】
ポーションカップ２内へ充填する内容物は、カレールウやゼリーに限らず、固体、液体、流動体、気体、粉体等どのようなものでも可能である。
【００２８】
尚上記例ではポーションカップ２を外箱１２に収納したが、正三角柱形に組付けたポーションカップ２の外周をシュリンクテープなどで巻き止めしてもよい。また、３つのポーションカップ２の容器本体４の形状を均等に形成したが、各容器本体４は均等な形状でなくともよい。更に３つのポーションカップ２で形成される三角形を正三角柱形でなく、二等辺三角形など他の形状の三角柱形に形成してもよい。
【図面の簡単な説明】
【００２９】
【図１】３つのポーションカップを組付けた状態を示す斜視図である。
【図２】３つのポーションカップを展開した状態を示す斜視図である。
【図３】ポーションカップの蓋材を一部開封した状態を示す斜視図である。
【図４】３つのポーションカップを中心部に沿って眺めた状態を示す平面図である。
【図５】ポーションカップの一部を外箱に収納した状態を示す斜視図である。
【図６】分納容器を示す斜視図である。
【図７】積重ねた分納容器を示す正面図である。
【符号の説明】
【００３０】
１    分納容器
２    ポーションカップ
４    容器本体
５    側壁
６    蓋材
８    底
９    縁
１２  外箱
１４  蓋体
【図１】
2006044687.tif 000003
【図２】
2006044687.tif 000004
【図３】
2006044687.tif 000005
【図４】
2006044687.tif 000006
【図５】
2006044687.tif 000007
【図６】
2006044687.tif 000008
【図７】
2006044687.tif 000009